(57)【要約】【課題】電動送風機からの風をコードリールのコード巻取り筒体内部に効率よく送り込んで電気コードへの充分な冷却効果を得る。【解決手段】電動送風機１２と、この電動送風機への電源供給用として使用される電気コードを巻き付けるコード巻取り筒体１９の周面に複数の通風孔２０を開けるとともに両端部にフランジ２１，２２を設けたコードリール１４とを備え、コードリールは、一方のフランジ２１を電動送風機に向き合うように対応し、コード巻取り筒体の一方のフランジ側端から外側に延出して、周面に通風孔２５を開けコード巻取り筒体と中空部が連通した筒状の冷却風取り入れ部２４を形成している。【選択図】図２
2006326170.tif 000002
【特許請求の範囲】
【請求項１】
電動送風機と、この電動送風機への電源供給用として使用される電気コードと、コード巻取り筒体の周面に通風孔を開けるとともに両端部にフランジを設け、前記電気コードを前記コード巻取り筒体の周面に巻き付けて収容するコードリールとを備え、
前記コードリールは、一方のフランジを前記電動送風機に向き合うように対応し、前記コード巻取り筒体の前記一方のフランジ側端から外側に延出して、周面に通風孔を開け前記コード巻取り筒体と中空部が連通した筒状の冷却風取り入れ部を形成したことを特徴とするコードリール付電気機器。
【請求項２】
電動送風機と、この電動送風機への電源供給用として使用される電気コードと、コード巻取り筒体の周面に通風孔を開けるとともに両端部にフランジを設け、前記電気コードを前記コード巻取り筒体の周面に巻き付けて収容するコードリールとを備え、
前記コードリールは、一方のフランジを前記電動送風機に向き合うように対応し、前記コード巻取り筒体の前記一方のフランジ側端を全面又は略全面開口したことを特徴とするコードリール付電気機器。
【請求項３】
前記コード巻取り筒体の周面に設けられた通風孔は前記周面の全体にわたって設けられていることを特徴とする請求項１または２記載のコードリール付電気機器。
【発明の詳細な説明】
【技術分野】
【０００１】
本発明は、コードリール付電気機器に係り、特に、送風機を備えたコードリール付電気機器に関する。
【背景技術】
【０００２】
従来、電動送風機を備えたコードリール付電気機器、例えば電気掃除機では、集塵室を設けた筐体内に、集塵のために吸気する電動送風機を設けるとともに電源を外部から取込むための電気コードをコード巻取り筒体で巻き取って収納したボビン状のコードリールを設けたものがある。コードリールは、ぜんまいバネを使用し、電気コードを外部に引き出したときにぜんまいバネにバネ力をチャージし、このぜんまいバネの復元力によって電気コードを自動的に巻き取る構成になっている。そして、コードリールから電気コードを充分に引き出してから電気コードをコンセントに接続して掃除機を運転する場合は、コードリールに巻き残っている電気コードは少なく高い熱がこもるという問題は発生しないが、コードリールから電気コードが充分に引き出されていない状態で電気コードをコンセントに接続して掃除機を運転する場合は、コードリールに巻き残っている電気コードの量が多いため内部に高い熱がこもるという問題が発生するので、電動送風機からの風をコードリールのコード巻取り筒体内部に送り込んで電気コードを内側から冷却するようにしている（例えば、特許文献１参照）。
【特許文献１】特開２００１−１７８６６７号公報
【発明の開示】
【発明が解決しようとする課題】
【０００３】
しかしながら、この特許文献のものは、送風機からの風をコードリールのコード巻取り筒体内部に送り込む冷却風路が複雑に曲折しているので、電気コードに対して充分な冷却効果が得られなかった。
【０００４】
そこで、本発明は、電動送風機からの風をコードリールのコード巻取り筒体内部に効率よく送り込むことができ、電気コードへの充分な冷却効果が得られるコードリール付電気機器を提供する。
【課題を解決するための手段】
【０００５】
本発明は、電動送風機と、この電動送風機への電源供給用として使用される電気コードと、コード巻取り筒体の周面に通風孔を開けるとともに両端部にフランジを設け、電気コードをコード巻取り筒体の周面に巻き付けて収容するコードリールとを備え、コードリールは、一方のフランジを電動送風機に向き合うように対応し、コード巻取り筒体の一方のフランジ側端から外側に延出して、周面に通風孔を開けコード巻取り筒体と中空部が連通した筒状の冷却風取り入れ部を形成したコードリール付電気機器にある。
【０００６】
また、本発明は、電動送風機と、この電動送風機への電源供給用として使用される電気コードと、コード巻取り筒体の周面に通風孔を開けるとともに両端部にフランジを設け、電気コードをコード巻取り筒体の周面に巻き付けて収容するコードリールとを備え、コードリールは、一方のフランジを電動送風機に向き合うように対応し、コード巻取り筒体の一方のフランジ側端を全面又は略全面開口したコードリール付電気機器にある。
【発明の効果】
【０００７】
本発明によれば、電動送風機からの風をコードリールのコード巻取り筒体内部に効率よく送り込むことができ、電気コードへの充分な冷却効果が得られるコードリール付電気機器を提供できる。
【発明を実施するための最良の形態】
【０００８】
以下、本発明の実施の形態を、図面を参照して説明する。なお、この実施の形態は本発明を電気掃除機に適用したものについて述べる。  
（第１の実施の形態）
図１は電気掃除機の全体構成を示す斜視図で、手動操作される吸引機構１と、この吸引機構１を取り付ける吸引機構取り付け部２を有する掃除機本体３とで構成される。
【０００９】
前記吸引機構１は、一端に床面を摺動して塵を吸い込む吸込口４を着脱自在に取り付けた第１の延長管５と、一端に操作部６を取り付けた第２の延長管７をスライド自在に嵌合し、かつ、前記操作部６からホース８を延出し、そのホース８の先端部８ａを前記掃除機本体３の吸引機構取り付け部２に嵌合している。すなわち、前記各延長管５，７、ホース８は前記吸込口４と連通する吸引路を形成している。前記掃除機本体３の後部から電源供給用として使用される電気コード９が引き出され、コンセントに接続されるようになっている。
【００１０】
前記掃除機本体３には、図２に示すように、吸引機構取り付け部２に取り付けられる集塵パック１０を収納した集塵室１１、この集塵室１０に対して吸気を行う電動送風機１２を収納した送風機収納室１３、前記電気コード９を巻き取るコードリール１４を収納したコードリール収納室１５が横一列に配置されている。前記集塵室１１と送風機収納室１３はフィルタ（図示せず）を介して複数の通風孔１６によって連通し、送風機収納室１３とコードリール収納室１５は複数の通風孔１７によって連通している。そして、前記コードリール収納室１５の後端面に風を排出するための複数の通風孔１８を設けている。
【００１１】
前記コードリール１４は、図３に示すように、前記電気コード９を巻き付けるコード巻取り筒体１９の周面全体にわたって複数の通風孔２０を開けるとともにコード巻取り筒体１９の両端部にフランジ２１，２２を設けたボビン状のもので、前記コード巻取り筒体１９の内側中心に配置した回転軸２３の周りにコードリール１４が回転することにより、電気コード９をコード巻取り筒体１９の周面に巻き付けるようになっている。
【００１２】
前記コード巻取り筒体１９は、一端部をドーナツ状に中央部を開口し、その周囲に周縁部を形成し、他端部を全面開口した構成になっている。そして、一端部に取り付ける一方のフランジ２１を、周縁部に合わせて中央部を開口し、他端部に取り付ける他方のフランジ２２の中央部を回転軸２３周りに回転できるようにしている。
【００１３】
前記コードリール１４は、コードリール収納室１５内に、一方のフランジ２１を前記電動送風機１２からの送風に向き合うように通風孔１７側に向けて対向して配置されている。そして、前記コード巻取り筒体１９の一方のフランジ２１を取付けた端部に形成した周縁部の側端から外側に延出してコード巻取り筒体１９よりも径が小さくこのコード巻取り筒体１９と中空部が連通した筒状の冷却風取り入れ部２４を形成している。前記冷却風取り入れ部２４は、周面に前記電動送風機１２からの送風を取込むための複数の通風孔２５を開けている。
【００１４】
前記コードリール１４における冷却風取り入れ部２４の先端側に位置して、前記電気コード９と電動送風機１２への図示しない電源供給回路とを電気的に接続する回転接点部２６を配置している。すなわち、前記回転接点部２６はコードリール収納室１５と送風機収納室１３を仕切っている壁２７に取り付けられ、前記コードリール１４の回転軸２３の一端に固定している。そして、例えば、この回転軸２３を介して電気コード９と電動送風機１２への電源供給回路とを電気的に接続する。
【００１５】
前記コードリール１４における回転軸２３の他端側には他方のフランジ２２、ぜんまいバネを収納したバネ収納部材２８が貫通固定され、さらに回転軸２３の他端をコードリール収納室１５の壁２７とは反対側の後端壁２９に固定している。そして、コードリール収納室１５の一側壁３０に電気コード９を外部に引き出すためのコード取出し口３１を設けている。
【００１６】
前記コードリール１４は電気コード９を全て巻き取った状態から電気コード９を引き出すことによって回転軸２３周りにコードリール１４が一方向に回転し、ぜんまいバネのバネ力がチャージされる。そして、電気コード９を離すことにより、ぜんまいバネの復元力によってコードリール１４の回転軸２３周りにコードリール１４が反対方向に回転し、コード巻取り筒体１９で電気コード９を自動的に巻き取る構成になっている。なお、コードリール１４にはストッパ機構があり、電気コード９の引出しを停止させた場合にこのストッパ機構が動作してコードリール１４の回転を停止させ、また、ストッパ機構の動作を解除することでコードリール１４は再び回転するようになっている。
【００１７】
このような構成においては、掃除機本体３のコード取出し口３１から電気コード９を引き出してコンセントに接続し、この状態で吸引機構１の操作部６にある電源スイッチを操作することで電動送風機１２が動作を開始する。電動送風機１２が動作すると、送風が開始され集塵室１１が負圧となる。これにより、吸込口４から第１の延長管５、第２の延長管７、ホース８を介して掃除機本体３の吸引機構取り付け部２から集塵室１１内の集塵パック１０を介して吸気が開始され、同時に吸込口４は床面から塵を吸い込む。そして、吸い込んだ塵は第１の延長管５、第２の延長管７、ホース８を介して集塵パック１０内に集められる。
【００１８】
電動送風機１２からの送風は通気孔１７を介してコードリール収納室１５に送り込まれる。コードリール収納室１５に送り込まれた送風の一部はそのまま通風孔１８やコード取出し口３１から外部に排出されるが、一部は図２に実線の矢印で示すように、コードリール１４に形成した冷却風取り入れ部２４の通風孔２５から内部に入り込み、中空部を経由しコード巻取り筒体１９の通風孔２０から電気コード９の巻取り部を介して通風孔１８やコード取出し口３１から外部に排出される。このとき、電気コード９を冷却する。
【００１９】
このように、コードリール収納室１５に送り込まれた送風の一部が、冷却風取り入れ部２４の周囲に設けた複数の通風孔２５からコードリール１４の中空部に入り込み、障害物無しにそのままコード巻取り筒体１９の周囲に開けた複数の通風孔２０から抜ける構成になっているので、電動送風機１２からの風をコードリール１４のコード巻取り筒体１９の内部に効率よく送り込むことができる。
【００２０】
従って、電気コード９を効率よく放熱することができて充分な冷却効果が得られる。従って、電気コード９の引出し量が少なく、コードリール１４に多くの電気コード９が残っていても、電気コード９に高い熱がこもることはない。
【００２１】
（第２の実施の形態）
なお、前述した実施の形態と同一の部分には同一の符号を付し、詳細な説明は省略する。この実施の形態は前述した実施の形態とはコードリールの構成が異なるもので、その他は同一である。
【００２２】
図４に示すようにコードリール収納室１５にコードリール１４１を収納している。前記コードリール１４１は、図５に示すように、電気コード９を巻き付けるコード巻取り筒体１９１の周面に全体にわたって複数の通風孔２０を開けるとともにコード巻取り筒体１９１の両端部にフランジ２１１，２２を設けたボビン状のもので、前記コード巻取り筒体１９１の内側中心に配置した回転軸２３周りにコードリールが回転することにより、電気コード９をコード巻取り筒体１９１の周面に巻き付けるようになっている。前記回転軸２３は壁２７と壁２９に固定されている。
【００２３】
前記コード巻取り筒体１９１は、両端部を共に全面開口した構成になっている。そして、一端部に取り付ける一方のフランジ２１１を、コード巻取り筒体１９１の一端に合わせて中央部を開口し、他端部に取り付ける他方のフランジ２２の中央部を回転軸２３周りに回転できるようにしている。
【００２４】
前記コードリール１４１は、コードリール収納室１５内に、一方のフランジ２１１を前記電動送風機１２からの送風に向き合うように通風孔１７側に向けて対向して配置されている。そして、前記コード巻取り筒体１９１の中空部内における他方のフランジ２２側に位置して、電気コード９と電動送風機１２への図示しない電源供給回路とを電気的に接続する回転接点部２６１を配置し、この回転接点部２６１に対して回転軸２３は固定されている。前記回転接点部２６１は、例えば、コード巻取り筒体１９１の中空部を介して支持部材（図示せず）によって壁２７に固定されている。前記回転接点部２６１は、例えば、回転軸２３を介して電気コード９と電動送風機１２への電源供給回路とを電気的に接続する。
【００２５】
このような構成においては、電動送風機１２からの送風は通気孔１７を介してコードリール収納室１５に送り込まれ、図４に実線の矢印で示すように、正面にあるコードリール１４１のコード巻取り筒体１９の開口部に効率よく入り込む。そして、コード巻取り筒体１９の通風孔２０から電気コード９の巻取り部を介して通風孔１８やコード取出し口３１から外部に排出される。こうして、電気コード９を効率よく放熱することができて充分な冷却効果が得られる。従って、コードリール１４に多くの電気コード９が残っていても、電気コードに高い熱がこもることはない。
【００２６】
なお、前述した各実施の形態は本発明を電気掃除機に適用したものについて述べたが必ずしもこれに限定するものではなく、要は、電動送風機を備えたコードリール付電気機器に適用できるものである。
【図面の簡単な説明】
【００２７】
【図１】本発明の第１の実施の形態に係る電気掃除機の全体構成を示す斜視図。
【図２】同実施の形態における掃除機本体の要部構成を示す図。
【図３】同実施の形態におけるコードリールの構成を示す一部断面した図。
【図４】本発明の第２の実施の形態に係る電気掃除機の掃除機本体の要部構成を示す図。
【図５】同実施の形態におけるコードリールの構成を示す一部断面した図。
【符号の説明】
【００２８】
９…電気コード、１２…電動送風機、１４…コードリール、１９…コード巻取り筒体、２０…通風孔、２１，２２…フランジ、２３…回転軸、２４…冷却風取り入れ部、２５…通風孔、２６…回転接点部。
【図１】
2006326170.tif 000003
【図２】
2006326170.tif 000004
【図３】
2006326170.tif 000005
【図４】
2006326170.tif 000006
【図５】
2006326170.tif 000007